(57)【要約】【課題】  勃起した陰茎が、陰茎の根もとにある坐骨海面体筋肉の弛緩により、陰茎から血液が流出して起る陰茎体積の急速な萎縮による挿入性交時における、コンドームのずれ下り又は膣内への離脱落から生じる避妊及び性病感染予防の失敗や跡始末のため意に沿わぬ掻爬及び性病治療という女性が強いられる心身が謄う負担増などの問題点。【解決手段】  勃起した陰茎が最大体積に達した時、コンドームを陰茎根もとまで装着した際、陰茎根もとに当る位置の外部円周壁面部輪状のコンドーム開口付近に、コンドームと一体化直結密着して使用する伸縮と捻転を相互作用、同時に捻転により生じる突起の働らきをもたらす効果をも活用せしめる輪状の丸味と管状及び巾のある物を含む、継目が無い一本からなる伸縮捻転作用材とコンドームと伸縮捻転作用材との組み合わせ及び表示。【選択図】      図１２
2005168626.tif 000002
【特許請求の範囲】
【請求項１】
勃起した陰茎が最大体積に達した時、コンドームを陰茎根もとまで装着した際、陰茎根もとに当る位置の外部円周壁面部輪状のコンドーム開口付近に、コンドームと一体化直結密着して使用することもできる、伸縮と捻転を相互作用、同時に捻転により生じる突起の働らきをもたらす効果をも活用せしめる輪状の丸味と管状及び巾のある物を含む、継目が無い一本からなる伸縮捻転自在作用材及びその装着方法。
【請求項２】
コンドーム装着時に際し、コンドーム本体筒状閉鎖端部を陰茎亀頭部にあてがう場合、コンドームを陰茎根元へ拡げて行く巻取状のコンドームに輪状に上記作用材を内包せしめ、当該作用材の上部中心位置を正しくコンドーム装着時に確認できる表示を、当該作用材若しくはコンドーム閉鎖先端部位又は、コンドームを取り出す包装等と、単独又は組合わせて設け、いづれの方法を採用するかは選択でき、コンドームに一体化直結密着して使用することもできる作用材と同時に、陰茎根もとまでの装着手法は従来のコンドームと同じ要領に保つことができる伸縮捻転自在作用材。
【請求項３】
コンドームと一緒に陰茎根もとまで装着終了の際、全容を現わした伸縮捻転自在作用材は、最終装着完了に到るに足る長さを有する請求項１又２に記載の伸縮稔転
自在作用材。
【発明の詳細な説明】
【技術分野】
【０００１】
当該発明は、従来のコンドーム普及状況が見逃している射精を含む前後に陰茎の最大体積が、萎縮により急減した場合に生じる避妊の失敗等を防止すると共に、陰茎の最大体積の持続をも長引かせる為の、コンドームに装着若しくはコンドームに直結することもできる、ひねりを加えて、反戻力を活用した衛生避妊具に関するものである。
【背景技術】
【０００２】
通常コンドームと称して現在販売されているものの原形は、昭和２１年頃USA進駐軍によってもたらされたように記憶する。目的は避妊と性病予防であったと考えられる。
現在のコンドームは、ゼリーや潤滑剤をたっぷり使ったもの、及びコンドーム表面につぶつぶがついたもの、ならびに閉鎖位置より手前にくびれを設けたもの等があり、いづれもJIS適合品である。
【０００３】
然しながらJIS適合品であるにもかかわらず正しく説明書のとおり完璧に装着使用した際、破損を生じない場合でも、「100％の効果を保証するものではありません」と但し書が残る限り、安全な使用に耐えられる態様に関しては、充分な改良がなされて居ないと共に科学的な選択肢が貧しいと指摘せざるを得ないのである。
【０００４】
【特許文献１】特開平１０−３０５０５８号  公報
【発明の開示】
【発明が解決しようとする課題】
【０００５】
コンドームの閉鎖部を亀頭にあてがいコンドームを陰茎つけ根へ向けコンドームの長さの限界迄単にころがして陰茎全体を覆うだけに止まり、コンドームの滑性移動を阻止する突起物が陰茎のつけ根に存在しない以上、陰茎挿入の性交活動の激しい運動が、一定方向であるだけに、コンドームの開口端部が、膣底部方向に引張られることは自然の法則上阻止することが不可能なのである。
この為め性交体位にもよるが、開口端部へ射精後の精液が陰茎最大体積の急減と、膣の収縮圧力とにより溢れ出ることが起る。
【０００６】
コンドームの開口端部の輪ゴム状の円周及び筒状壁面は伸長力を有するが、残念ながら厳格な品質管理に基き製造された原形面積迄しか収縮力を有しないので、コンドームの開口円周以下には収縮しない。射精後の陰茎体積の急減も合まって、陰茎とコンドームの間に密着が失われ隙間が生じ、コンドームが陰茎から抜ける原因のひとつと考えられ避妊の失敗に到るケースを形成する。
【０００７】
コンドームの表裏には、たっぷり潤滑剤等が塗布されているので性行為中女性の興奮期に膣壁周辺全面から滲出する粘液と潤滑剤等とが混合し、コンドーム外壁と膣壁との間で滑力が低下するのに対し、陰茎とコンドーム内壁間では充分すぎる滑力状態が損われることがないので、コンドーム内壁と陰茎間の潤滑力が高いのに、反面コンドーム外壁と膣壁との滑力が低下する。これが為生ずるアンバランスが働き膣収縮時に陰茎を膣内で後退させると、陰茎が膣収縮圧力に耐えられず、潤滑能力が保たれたままの陰茎はコンドームから抜け易い状態に作用し、このまま性行為を続行するとコンドームが陰茎から一部抜けた状態になっても自覚がないため性行動を続行した揚句、陰茎挿入の際にコンドームを膣底付近まで押し込んだ状況に後程気付くことが起り避妊の失敗に通じる。
【０００８】
現在もコンドーム装着から、射精後の始末までほとんどが男性依存である。コンドームは装着が容易な反面、避妊及び性感染予防に対する認識義務を果す役割は、実行責任を含め全て男性側の義務とされている。避妊失敗の結果は女性に転嫁される。男性は射精後快感を反芻する暇もなく官能を理性に直ちに切り替え陰茎が、最大体積を急減するのに遅延しないよう早めに陰茎つけ根でコンドームを慎重な指使いで押さえたまま、陰茎とコンドームとを同時に引抜く作業が待ち構えていて、この作業が遅れる程避妊の失敗率は高まる。男性は射精後も多忙なのである。
【０００９】
然しながら女性にしてみれば、射精直後はまだ陶酔感の持続を望んでいるのに、いきなり陰茎を引抜かれ興ざめを味あわせるのは上記（０００８）の理由から男性は避けられないプロセスなのだが、これを女性に理解せしめるのは困難であるし、女性の不満は抑制されることになる。
【００１０】
年齢に関係なく、射精に到らないのに、最大体積の陰茎を膣に挿入したまま動きを中断したり、あるいは体位の変更に手間取ったりすると、陰茎体積の急減に襲われ、その後の性交を不能ならしめ女性を失望させるのは仕方ないものと諦められている。
処が男性には相手の女性が変れば、日常の妻との性交より勃起する（全部がそうであるとは限らないにしても）という特性があり、深入りすると離婚を招く原因のひとつとされている。現在のコンドームはオーダーメイドであって、装着者の工夫を取り入れる余地が皆無であり、例えば１ケース１２個入りのコンドームを購入すれば１２個全部が同一仕様であって、消費者志向を無視したメーカー側の一方的な押し付けのままで今日に到っている。例えばサイズについて一般装着衣では、ＳＭＬといった多品種少量生産が早くから採用されているのに、コンドームに関してはサイズ別の採用がなく、厚めのコンドームはどの店にも置かれていないので置いてある店を探さねばならない。
【００１１】
男女いづれかにおいて、望まれない避妊の失敗は、中絶か出産かの選択を迫られる。止むなく出産に到った場合母親は母性愛に目覚めた者は育児を重視することができるが、父親は往々にして幼児虐待等の事件を惹起する。新聞記事などで見かける幼児虐待の報道は氷山の一角に過ぎず、潜在件数は記事の背後に隠されている。又コンドーム装着による失敗率は女性側を調査した総理府統計局では２０％に達するとの文献があり（ＬＯＶＥ、ＴＥＣｈｎｉｃ２００３年５月２５日発行、二見書房監修ゆうき、れい）同書によればコンドームを正確に装着できている人が少なくないとの指摘もある。（世界の性革命紀行  昭和５５年２月１０日発行著書  上前淳一郎、講談社）によると、同じく総理府統計局の資料といして日本の家庭婦人の４０％の中絶の経験を有し、また既婚未婚を問わず日本女性の２８％が初回の妊娠を中絶するとの記事がある。
【課題を解決するための手段】
【００１２】
第一発明は、  勃起した陰茎が最大体積に達した時、コンドームを陰茎根もとまで装着した際、陰茎根もとに当る位置の外部円周壁面部輪状のコンドーム開口付近に、コンドームと一体化直結密着して使用することもできる、伸縮と捻転を相互作用、同時に捻転により生じる突起の働らきをもたらす効果をも活用せしめる輪状の丸味と管状及び巾のある物を含む、継目が無い一本からなる伸縮捻転自在作用材。
第二発明は、  コンドーム装着時に際し、コンドーム本体筒状閉鎖端部を陰茎亀頭部にあてがう場合、コンドームを陰茎根元へ拡げて行く巻取状のコンドームに輪状に上記作用材を内包せしめ、当該作用材の上部中心位置を正しくコンドーム装着時に確認できる表示を、当該作用材若しくはコンドーム閉鎖先端部位又は、コンドームを取り出す包装等と、単独又は組合わせて設け、いづれの方法を採用するかは選択でき、コンドームに一体化直結密着して使用することもできる作用材と同時に、陰茎根もとまでの装着手法は従来のコンドームと同じ要領に保つことができる伸縮捻転自在作用材。
第三発明は、  コンドームと一緒に陰茎根もとまで装着終了の際、全容を現わした伸縮捻転自在作用材は、最終装着完了に到るに足る長さを有する請求項１又２に記載の伸縮稔転
自在作用材。
【発明の効果】
【００１３】
当該発明の究極目的は、コンドームを装着し性行為に及んだのにもかかわらず避妊に失敗し、やむを得ず中絶に到る、若しくは望まない出産で生れた我が幼児えの虐待などの悲惨な状況を生じさせる原因となる。機能的に陳腐化したコンドームの駆逐にある。性病感染予防は当然の事ながらこれに付随することは明らかである。コンドームを装着したのに破損が全く無かったのに妊娠を許してしまうようなコンドームは信頼して使用した消費者えのコンドームメーカーの裏切りと指摘せざるを得ない。当該発明は、性交後作用材の取外しが終了するまで射精前後で、コンドームが陰茎から抜けたり、陰茎体積の急減で、陰茎萎縮の過程で精液がコンドームと陰茎との隙間から膣内へ溢れたりする現象をその前後で完全に遮断する。
当該発明はコンドームを装着し、コンドームが破損もしてないのに避妊に失敗する現場を性交に於いての破損以外には存在しないと理論てきにも断定し得る程度までの水準上昇を願ったものでる。
【００１４】
現在のコンドームは、性交後女性が正気に帰った時以後数ヶ月間は月経の継続を確認しないことには、安心できない一途の不安を抱かせるものである。当該発明品を仮に「ヒポス」と名付けるとしよう。中絶希望者は当然の事ながら中絶実施を認められた医師のもとを訪れる。医師が当該女性に「どこのメーカーのどう言う名称のコンドームを使用されましたか」と質問した時に、その問いに対して正確に最後まで答えられる女性が果してどれだけ存在するであろうか。
このような場合「ヒポス」を使用したが破損したと答えられるようになれば、様々な現場を勘案しても、中絶対応の面で一歩前進と考えられることになろう。
【００１５】
避妊の失敗は破損以外に原因はないとの認識が消費者に滲透すれば、避妊の失敗による中絶に脅え本当の意に反して性交を頑なに拒絶する女性達を安心させ救うことができるのである。  当該発明品を用い性交直後にコンドームの破損に気付いた場合は７２時間以内に緊急避妊用のピルを服用すれば、一般に排卵日の妊娠率２５％が２〜３％程度に抑えられとの記事がある。（平成１５年８月１２日  日本経済新聞夕刊）
同時に避妊の失敗率１４％と記載されているが、避妊に失敗してもやむなく出産に到るケースは表面化しないで潜在していると考えると避妊の失敗率はさらに増加すると考えられる。
【００１６】
ピルの常用は副作用があるとの事で、現在日本では店頭販売が認められて居ないが、仮に認められたにしても、性病感染予防にはコンドーム装着が有効なので、ピルの自由販売が認められても即コンドーム不要論は生じない。但し産婦人科の医師は中絶の減少で、収入が激減しよう。
【００１７】
当該発明の実施化に基づく派生効果のひとつに、性交に於いて破損以外の妊娠は先づ考えられないことである。現在のコンドームは前記（発明が解決しようとする課題）に記載したように、コンドームを装着し性交後取り出したコンドームが破損していないのに妊娠してしまうという矛盾の廃除若しくは駆逐であることを主張したい。
【００１８】
現在のコンドームは男性本位、女性からすれば男性依存であり、装着使用感も陰茎中心の快感低下を阻止するべくあらゆる工夫が加えられている。然しながら閉経期を迎えていない女性とのコンドームを装着しない性行為に、ゼリー、若しくは潤滑剤が全ての必要であろうか？このようなひとつの観点からコンドームに関する全ての概念を考察するとき、コンドーム機能の思想は画一化し、小種大量生産という硬直した概念に立脚し、それにしがみついていると断ぜざるを得ない。現代の急速な社会変革のニーズに対応できないでいる。
現代は多品種少量生産こそ消費者の常識として定着しているのに、現場はこれに対応できないでいる。
【００１９】
当該発明は、酩酊の揚句性行為を行なうことは、コンドームの装着が面倒なので不可能とは断言できないにしても相当無理がある。現在のコンドームは酩酊した揚句でも、陰茎が最大体積に達しなくとも装着は安易である為避妊の失敗を犯しやすいのである。
従って当該発明を酩酊状態で利用することは女性に取って男の性交要求を拒絶できるという利点がある。
【００２０】
当該発明は性交に於いて男性側の快感を損なうことのないよう配慮し、特に女性側の官能性を高める意図を計った積りであるが、人間は個性があり、この意図が受入れられる余地が少ないとは言え、初めての試みであるから、伸縮捻転自在材を同一直径のものを採用するか迷ったが、先づ安全を優先し全方位同一直形で提示した。当該出願は巾のある作用材も含まれている。
【００２１】
当該発明は、コンドームを装着した陰茎の最大体積の減少に伴ない陰茎の萎縮に応じ、陰茎の根もと上下に位置する伸縮捻転自在作用材のひねりが、萎縮の程度に応じて戻る働きが生じ、陰茎とコンドーム内壁との密着が持続するので、射精と同時に急いでコンドームを取り出す必要が緩和される。
【００２２】
当該発明はコンドーム開口部に、装着の前後において、開口端部に設けたひねり回数は装着者の意志に委ねられており、陰茎の最大体積時に充分なひねり回数を加えることによって反発力が生じ、陰茎を構成している坐骨神経海綿体内の血液が、陰茎外へ戻ろうとする急激な働きを阻止するのに役立ち、このことは即ち女性に挿入持続の官能の余韻をもたらすことを期待することができると共に自在材の作用を充分活用して捻転突起が陰茎上部に各１個所以上設けられているという特徴を見逃すことができない。
【発明を実施するための最良の形態】
【００２３】
本発明を図面を参照して説明する。
現在のコンドームは、限界まで伸長しても、陰茎装着時の長さ及び円周以下には萎縮しない。針金を空間でどのような形に曲げても充分対応維持できる。ところが普通の紐はもとよりのこと護謨入りであっても、空間で簡単な輪を作ることは不可能である。然し捻った部分は針金のような作用をもたらす。
避妊及び性病感染予防に効果的とされているコンドームは、陰茎の最大体積には応じられるが、陰茎体積の急速な減少には、コンドーム開口端部を、装着時円周迄で縮小は停止してもまう。図１〜図１２に示すように当該発明である伸縮捻転自在作用材２を用い、ひねりを必要回数加えることによって当該伸縮捻転自在作用材２にひねりを入れた程度に応じて萎縮に向かう陰茎４にひねり部分３が蓄えた反戻力が自動的に働き、陰茎４の萎縮とコンドーム１の間に隙間ができるのを防止するのである。６はコンドームの外見を示す。。
【００２４】
以上の事からコンドーム１に装着した伸縮捻転自在作用材２を陰茎根もと上部でひねるとひねられた部分３は、針金のように折り曲げることができ余った自在材１を陰茎４の先をくぐらせ再び陰茎４の根もとで必要回数ひねり、コンドーム１越しに陰茎４円周の締め付けを強化し、残り部分の自在材２で陰のう５をくぐらせ装着を完了させるものである。
【００２５】
前記の結果、陰茎４に装着したコンドーム１は、上下陰茎根４もとから陰のう５つけ根に自在材２が固定安定し、血流と無関係な射精前後も余り体積の変動がない陰のう５から自在材２が自然に抜けたり外れたりすることがない。
このようなことは、膣内に陰茎がその動作で加える挿入、後退という運動の同一方向えの円周筒の動きというコンドームに負荷をもたらすストレスを分散回避させより安定度を高める。
【００２６】
次に伸縮捻転自在作用材２には、切断面が丸みを帯び中心に空洞がないもの若しくは空洞があるもの並びに巾があって薄手のものが考えられるが、添付図面は切断面が丸味を帯び空洞がないものとしたが、外の２種類の材料については別の効果も考えられるので、当該発明の構成に留保したい。
【００２７】
当該発明に基づくパッケージには、コンドーム１を陰茎から取り外した時、破損が生じていないか確認するよう但し書を記載し、破損の場合の対処方法をも明記すべきである。
【図面の簡単な説明】
【００２８】
【図１】伸縮捻転自在作用材を輪状に内包したコンドームの外見。（６個の粒々は装着時位置決めを示した一例なれど、外の位置表示方法は省略。）
【図２】コンドームを先端にあてがい、輪状をころがしはじめた様子を示す側面図。
【図３】コンドーム装着完了、作用材露出を示す側面図。
【図４】作用材のみを伸長表示（下部例）コンドームと接合してない場合を想定。
【図５】作用材のみを伸長表示（上部例）コンドームと接合してない場合を想定。
【図６】作用材をほぐす場面。
【図７】作用材をほぼほぐした場面。
【図８】作用材を陰茎と陰のうをくぐらせた場面。
【図９】陰のうをくぐらせた作用材を陰茎上部へ引き上げ陰茎上部つけ根で作用材根もとを任意回数ひねった様子。
【図１０】作用材をひねったまま、陰茎をくぐらせ下部えおろした様子。
【図１１】下部えおろした作用材を、陰茎下部根もとで任意回数ひねり、作用材円周状残余を陰のうを下部からくぐらせた様子。
【図１２】作用材根もとをひねり、陰のうをくぐらせ陰茎下部に戻して作用材の装着完了。
【符号の説明】
【００２９】
１      コンドーム
２      伸縮稔転自在作用材
３      ひねり部
４      陰茎
５      陰のう  
【図１】
2005168626.tif 000003
【図２】
2005168626.tif 000004
【図３】
2005168626.tif 000005
【図４】
2005168626.tif 000006
【図５】
2005168626.tif 000007
【図６】
2005168626.tif 000008
【図７】
2005168626.tif 000009
【図８】
2005168626.tif 000010
【図９】
2005168626.tif 000011
【図１０】
2005168626.tif 000012
【図１１】
2005168626.tif 000013
【図１２】
2005168626.tif 000014